(57)【要約】【課題】  動作時のリボンが鉄塔主柱材側に巻き付くのを確実性よく防止できる落雷表示装置。【解決手段】  鉄塔主柱材であるＬ型鋼鉄塔脚２に取付バンド３で固定したリボン表示式落雷表示器１と、鉄塔脚２と取付バンド３の間にできた三角形の隙間Ｇを塞ぐ蓋板１０を備える。蓋板１０は三角形の蓋本体部１０ａと、その底辺から一体に延在する基端部１０ｂを有し、基端部１０ｂが複数の係合片に分割されて、各係合片を取付バンド３に折曲して取り付け、蓋本体部１０ａを隙間Ｇの上に斜めに配置する。落雷表示器が落雷を検知して動作リボン７を吊り下げた場合、動作リボン７が風で煽られて隙間Ｇへと移動しても蓋板１０で邪魔されて隙間Ｇに入らず、取付バンド３に巻き付かない。【選択図】図１
2006301438.tif 000002
【特許請求の範囲】
【請求項１】
鉄塔の主柱材に条体で固定したリボン表示式落雷表示器と、前記条体に係合されて当該条体と前記主柱材との隙間を塞ぐ蓋板とを具備したことを特徴とする落雷表示装置。
【請求項２】
前記蓋板の端部を複数の係合片に分割し、この複数の各係合片を前記条体に折り曲げて着脱可能に係合させたことを特徴とする請求項１に記載の落雷表示装置。
【請求項３】
Ｌ型鋼鉄塔脚の主柱材に取付バンドの条体で固定したリボン表示式落雷表示器の前記取付バンドに着脱自在に装着される落雷表示器用蓋板であって、前記鉄塔脚と前記取付バンドとの間に形成される略三角形の隙間を塞ぐ略三角形の平板状蓋本体部と、この蓋本体部の底辺から一体に延在する基端部を有し、この基端部を複数の切込みで複数の係合片に分割し、分割された複数の各係合片を前記取付バンドに折り曲げて係合させることを特徴とする落雷表示器用蓋板。
【発明の詳細な説明】
【技術分野】
【０００１】
本発明は、送電線などの鉄塔に落雷があると遠隔地から視認できるリボンで表示する落雷表示装置に関する。
【背景技術】
【０００２】
送電線鉄塔に落雷があったことを遠隔地から鉄塔巡視員などに視認させる落雷表示器（閃絡表示器）は、鉄塔脚の最下端アームの下方に取り付けられる。この落雷表示器は、鉄塔への落雷を検知して帯状の赤色布である動作リボンを表示器筐体から吊り下げて表示させるリボン表示式のものが普及している（例えば、特許文献１参照）。
【０００３】
図４に、リボン表示式落雷表示器１の具体例を示す。この落雷表示器１は、鉄塔の主柱材２に取付バンドなどの条体３や図示しないボルトなどで固定した筐体４を有する。筐体４は矩形の箱で、側方に取付座部５を一体に有し、取付座部５を主柱材２に当てた状態で条体３で締め付けて固定する。主柱材２は例えばＬ型鋼の鉄塔脚であり、以下、必要に応じて鉄塔脚２と称する。
【０００４】
Ｌ型鋼の鉄塔脚２は略鉛直に延びて、図示しない他の主柱材の斜材が連結され、上端部に送電線架設用アームが連結される。この鉄塔脚２の最下端アームより下方の定位置に落雷表示器１が設置される。鉄塔に落雷があると、落雷表示器１が落雷により生じる誘起電圧などの電気的変位を検知して、図４に示すように自動的に筐体４の底板６を開いて帯状の動作リボン７を吊り下げる。動作リボン７は先端に重り８を有し、この重り８に巻回された状態で筐体４内に収納され、落雷表示器１が落雷を検知して底板６を開くと、重り８の重力で動作リボン７が自動的に吊り下がる。筐体４から吊り下がる動作リボン７は、遠方からでも視認しやすい赤色布であり、この赤色布を鉄塔巡視員が視認して鉄塔の保守作業をし、また、鉄塔の近くの人が視認して電力会社に通報する。
【特許文献１】特開２０００−５８２２１号公報
【発明の開示】
【発明が解決しようとする課題】
【０００５】
上記落雷表示器１は、吊り下げた動作リボン７が遠方からでも視認しやすいように、鉄塔脚２の外面側に少し突出させて設置され、また、筐体４から吊り下がる動作リボン７の長さを少し長目に設定している。そのため、筐体４から吊り下がる動作リボン７が風で煽られると、鉄塔脚２側に巻き付いて遠方から視認し難くなることがある。
【０００６】
このようなリボンの鉄塔脚側への巻き付きを抑制する手段として、例えば、動作リボンの全長を大幅に短くして鉄塔脚に巻き付き難くすることや、動作リボンの下端に永久磁石を固定して、動作時に永久磁石で動作リボンの下端を鉄塔脚に吸着させることが行われている。このようなリボン巻き付き防止手段は、鉄塔脚への直接的な巻き付きを抑制するのには効果的であるが、落雷表示器と鉄塔脚の間の隙間に引っ掛かって巻き付くことがあり、この巻き付きを防止することが難しい。また、動作リボンを短くするほど、遠方からの視認性が悪くなる不具合がある。さらに、動作した動作リボンの下端を永久磁石で鉄塔脚に吸着させる場合、動作リボンが風で煽られて鉄塔脚にうまく吸着されず、うまく吸着されても風の煽りで外れることがあり、吸着動作の信頼性に欠ける。
【０００７】
本発明の目的は、動作時のリボンが鉄塔主柱材側に巻き付くのを確実性よく防止し得る落雷表示装置、そのための用具を提供することにある。
【課題を解決するための手段】
【０００８】
本発明は上記目的を達成するため、鉄塔の主柱材に条体で固定したリボン表示式落雷表示器と、前記条体に係合されて当該条体と前記主柱材との隙間を塞ぐ蓋板とを具備した構造を特徴とする。
【０００９】
ここで、鉄塔の主柱材はＬ型鋼、パイプ鋼などで、この主柱材にリボン表示式落雷表示器がバンドやワイヤー類の条体で取り付けられる。落雷表示器が取り付けられる主柱材は、鉄塔脚や斜材などであり、通常は鉄塔脚である。鉄塔の主柱材に落雷表示器を専用の条体で固定した場合、自ずと主柱材と条体の間に所定の大きさ、形状の隙間ができる。そこで、本発明においては、前述のような所定形状の隙間を塞ぐ大きさ、形状の蓋板を用意し、この蓋板を隙間を形成する条体に係合させるようにして取り付けて隙間を塞ぐ。すなわち、上記隙間は、落雷表示器の動作リボンを少し短くしても、動作時のリボン先端部が入ると巻き付く可能性のある隙間で、この隙間を専用の蓋板で塞ぐことでリボンの巻き付きが確実になくなる。このような蓋板は、ペンチなどの簡易工具で後加工しやすい薄い鉄板のような防錆処理された金属板が望ましい。例えば、蓋板は、一部の端部を複数の係合片に分割し、この複数の各係合片を条体に折り曲げて着脱可能に係合させるようにした金属板が実用的である。
【００１０】
また、本発明は、Ｌ型鋼鉄塔脚の主柱材に取付バンドで固定したリボン表示式落雷表示器の取付バンドに着脱自在に装着される落雷表示器用蓋板を提供するものである。この蓋板は、Ｌ型鋼の鉄塔脚と取付バンドとの間に形成される略三角形の隙間を塞ぐ略三角形の平板状蓋本体部と、この蓋本体部の底辺から一体に延在する基端部を有し、この基端部を複数の切込みで複数の係合片に分割し、分割された複数の各係合片を取付バンドに折り曲げて係合させる構造とする。このような蓋板は、既存のリボン表示式落雷表示器の取付バンドに着脱可能に取り付けることができて実用的である。また、基端部の複数の係合片は、取付バンドの幅の約２倍の長さの矩形片にし、この係合片を二つ折り式にペンチで折曲して取付バンドに取り付けるようにすれば、簡単な作業、少ない労力で蓋板の取付けができて、送電線鉄塔のような高所での作業に便宜を図ることができる。
【発明の効果】
【００１１】
本発明によれば、鉄塔の主柱材とリボン表示式落雷表示器の取付用条体との間の隙間を専用の蓋板で塞いだので、この隙間に動作中のリボン先端部が入って条体に引っ掛かる心配が皆無となり、動作時のリボンが鉄塔主柱材側に巻き付くのを確実性よく防止でき、落雷表示動作の信頼性が向上する優れた効果がある。また、蓋板を使用するのみで、落雷表示器側を何ら改変することなく動作リボンの巻き付き防止ができて、実施効果の大きな落雷表示装置が提供できる。
【００１２】
また、蓋板は、薄い金属板の一部に切り込み等で複数の係合片を形成した形状簡単で安価なものが使用できて、既存の落雷表示器に経済的負担をほとんど掛けることなく適用できる。
【発明を実施するための最良の形態】
【００１３】
以下、本発明の実施の形態を図１〜図３を参照して説明する。
【００１４】
図１に示す落雷表示装置は、図４の落雷表示器１に適用したもので、図４と同一または同一部分には同一符号を付して説明は省略する。
【００１５】
図１に示すリボン表示式落雷表示器１は、鉄塔主柱材であるＬ型鋼の鉄塔脚２に取付バンド３で固定した筐体４を有する。例えば、図示しない取付バンド先端のメス金具を表示器側のオス金具に連結することで、鉄塔脚２に表示器１が着脱可能に固定される。１鉄塔に落雷があると、落雷表示器１が落雷を検知して自動的に筐体４の底板６を開き、帯状の動作リボン７を吊り下げる。動作リボン７は、遠方からでも視認しやすい赤色布である。
【００１６】
Ｌ型鋼の鉄塔脚２は、２つの等辺部２ａ、２ｂを有する等辺山形鋼で、等辺部２ａ、２ｂの間に二等辺直角三角形の空間を形成する。この鉄塔脚２の外面の直角コーナー部に筐体４の取付座部５を当て、取付座部５を取付バンド３で鉄塔脚２に固定する。取付バンド３を鉄塔脚２に巻き付けて締め付けると、２つの等辺部２ａ、２ｂの内面と、等辺部２ａ、２ｂの先端間に張設された取付バンド３の間に二等辺直角三角形の隙間Ｇが形成される（図４の符号Ｇ参照）。本発明は、この隙間Ｇを対応する形状の蓋板１０で塞いだことを特徴とする。すなわち、今までは動作した動作リボン７の先端部が風に煽られて隙間Ｇを形成する取付バンド３の位置に移動すると、取付バンド３内方の隙間Ｇに入り、そのまま取付バンド３に巻き付くことがあったが、隙間Ｇを専用の蓋板１０で塞いで、動作中の動作リボン７の先端部が隙間Ｇに入らないようにすることで、鉄塔脚側での巻き付きを未然に防止する。
【００１７】
蓋板１０の具体例を、図２と図３（Ａ）（Ｂ）に示し説明する。図２の蓋板１０は、二等辺三角形の平板状蓋本体部１０ａと、蓋本体部１０ａの底辺から一体に延在する横長矩形の基端部１０ｂを有し、基端部１０ｂを複数の切込み１１で複数、例えば５枚の係合片１０ｃ〜１０ｇに分割する。各係合片１０ｃ〜１０ｇの長さを、取付バンド３の幅の約２倍に設定する。基端部１０ｂの幅を、鉄塔脚２の等辺部２ａ、２ｂの先端間の幅とほぼ同一に設定する。この基端部１０ｂを底辺とする蓋本体部１０ａは、鋭角の頂角を有する二等辺三角形で、基端部１０ｂを鉄塔脚２とで隙間Ｇを形成する取付バンド３に図３（Ａ）（Ｂ）に示すように係合させて、蓋本体部１０ａを隙間Ｇに対して斜め上向き姿勢で設置する。
【００１８】
図３（Ａ）に示すように、基端部１０ｂの各係合片１０ｃ〜１０ｇを根元部から交互に反対方向に折り曲げて、各係合片１０ｃ〜１０ｇの根元部を略水平な取付バンド３に真上から差し込み、各係合片１０ｃ〜１０ｇの先端部を取付バンド３より下方に突出させる。次に、ペンチなどの簡易工具を使って各係合片１０ｃ〜１０ｇの先端部を取付バンド３側に向けて約１８０°折り曲げて、図３（Ｂ）に示すように各係合片１０ｃ〜１０ｇを取付バンド３に交互に反対方向から巻き付けて固定する。この取付作業を図１の鉄塔脚２の取付バンド３に対して行い、蓋本体部１０ａの二等辺を鉄塔脚２の等辺部２ａ、２ｂの内面に沿わせる。
【００１９】
この場合、蓋本体部１０ａは頂角が鋭角の二等辺三角形ゆえに、二等辺が等辺部２ａ、２ｂの内面に上向き姿勢で接近して、蓋本体部１０ａが等辺部２ａ、２ｂと取付バンド３で囲まれる直角三角形の隙間Ｇを斜め屋根板のように塞ぐ。この蓋本体部１０ａに真上から外力が作用して下方に変形しようとすると、二等辺が対応する等辺部２ａ、２ｂの内面に当接して変形が抑止されるので、蓋本体部１０ａは常に安定した姿勢で隙間Ｇを塞ぐ。したがって、動作中の動作リボン７が強風で煽られてリボン先端部が隙間Ｇへと移動しても、蓋本体部１０ａに邪魔されて隙間Ｇに在る取付バンド３に引っ掛からず、巻き付かない。
【００２０】
なお、本発明は上記した実施の形態に限定されるものではなく、本発明の要旨を逸脱しない範囲内において種々変更を加え得ることは勿論である。
【図面の簡単な説明】
【００２１】
【図１】本発明に係る落雷表示装置の実施の形態を示す落雷表示動作時の斜視図である。
【図２】図１の落雷表示装置に使用している蓋板の具体例を示す拡大斜視図である。
【図３】（Ａ）は蓋板を条体（取付バンド）に取り付ける際の斜視図、（Ｂ）は取付後の斜視図である。
【図４】鉄塔の落雷表示器を説明するための落雷表示動作時の斜視図である。
【符号の説明】
【００２２】
１    リボン表示式落雷表示器
２    主柱材、Ｌ型鋼鉄塔脚
３    条体、取付バンド
４    筐体
５    取付座部
６    底板
７    動作リボン
１０    蓋板
１０ａ 平板状蓋本体部
１０ｂ    端部、基端部
１０ｃ〜１０ｇ    係合片
【図１】
2006301438.tif 000003
【図２】
2006301438.tif 000004
【図３】
2006301438.tif 000005
【図４】
2006301438.tif 000006